(57)【要約】  タンパー表示印刷可能シート。本発明の好ましい実施形態は、インクジェット受容性ビードボンド層に部分的に埋め込まれた複数のマイクロビードを含む再帰反射層と、前記マイクロビードの１つと前記インクジェット受容性ビードボンド層との間の反射体層と、を含むタンパー表示印刷可能シートを提供する。本発明は、タンパー表示印刷可能シートの作製方法を提供する。
2008509022.tif 000002
【特許請求の範囲】
【請求項１】
インクジェット受容性ビードボンド層に部分的に埋め込まれた複数のマイクロビードを含む再帰反射層と、
前記マイクロビードの少なくとも１つと前記インクジェット受容性ビードボンド層との間の反射体層と、を含むタンパー表示印刷可能シート。
【請求項２】
前記反射体層と前記マイクロビードとの間に潜在的表示をさらに含む、請求項１に記載のタンパー表示印刷可能シート。
【請求項３】
前記潜在的表示が、印刷された記号、単語、ロゴ、またはそれらのいずれかの組合せを含む、請求項２に記載のタンパー表示印刷可能シート。
【請求項４】
前記インクジェット受容性ビードボンド層上に印刷された画像をさらに含む、請求項１に記載のタンパー表示印刷可能シート。
【請求項５】
前記印刷された画像の一部が前記インクジェット受容性ビードボンド層から除去された後、複数の再帰反射マイクロビードが前記再帰反射層の一部から分離してタンパリングを表示する、請求項４に記載のタンパー表示印刷可能シート。
【請求項６】
前記印刷された画像の前記一部が画像除去液によって除去される、請求項５に記載のタンパー表示印刷可能シート。
【請求項７】
前記印刷された画像がインクジェットインクを含む、請求項４に記載のタンパー表示印刷可能シート。
【請求項８】
前記印刷された画像が、人の顔、シグナチャー、指紋、英数字情報、バーコード、またはそれらの任意の組合せの印刷された画像を含む、請求項４に記載のタンパー表示印刷可能シート。
【請求項９】
前記インクジェット受容性ビードボンド層に付着された接着剤の層をさらに含む、請求項１に記載のタンパー表示印刷可能シート。
【請求項１０】
接着剤の前記層に付着されたライナーをさらに含む、請求項９に記載のタンパー表示印刷可能シート。
【請求項１１】
再帰反射光条件下で見えるセキュリティ表示をさらに含む、請求項１に記載のタンパー表示印刷可能シート。
【請求項１２】
前記インクジェット受容性ビードボンド層上に顕在的表示をさらに含む、請求項１に記載のタンパー表示印刷可能シート。
【請求項１３】
前記顕在的画像が、人の顔、シグナチャー、指紋、英数字情報、バーコード、またはそれらの任意の組合せの印刷された画像を含む、請求項１２に記載のタンパー表示印刷可能シート。
【請求項１４】
画像除去液が前記インクジェット受容層に適用された後に複数のマイクロビードが前記インクジェット受容性ビードボンド層から分離し、それによってタンパリングが表示される、請求項１に記載のタンパー表示印刷可能シート。
【請求項１５】
請求項１に記載のタンパー表示印刷可能シートと、
重要文書と、を組み合わせて含むセキュリティ文書であって、前記印刷可能シートが前記重要文書に挿入されるかまたは付着される、セキュリティ文書。
【請求項１６】
前記重要文書が、パスポート、身分証明書、金融書類、入場券、所有権証、査証、出生証明書、居住認可証、またはその他のセキュリティまたはＩＤ関連文書である、請求項１５に記載のセキュリティ文書。
【請求項１７】
インクジェット受容性ビードボンド層に部分的に埋め込まれた複数のマイクロビードを含む再帰反射層と、
前記マイクロビードの少なくとも１つと前記インクジェット受容性ビードボンド層との間の反射体層と、
前記インクジェット受容性ビードボンド層上の印刷された画像と、を含むタンパー表示印刷可能シートであって、
前記印刷された画像の一部が前記インクジェット受容性ビードボンド層から除去された後、複数の再帰反射マイクロビードが前記インクジェット受容性ビードボンド層の一部から分離してタンパリングを表示する、タンパー表示印刷可能シート。
【請求項１８】
前記反射体層と前記マイクロビードとの間に潜在的表示をさらに含む、請求項１７に記載のタンパー表示印刷可能シート。
【請求項１９】
前記潜在的表示が、印刷された記号、単語、ロゴ、またはそれらのいずれかの組合せを含む、請求項１８に記載のタンパー表示印刷可能シート。
【請求項２０】
前記印刷された画像の前記一部が画像除去液によって除去される、請求項１７に記載のタンパー表示印刷可能シート。
【請求項２１】
前記印刷された画像がインクジェットインクを含む、請求項１７に記載のタンパー表示印刷可能シート。
【請求項２２】
前記印刷された画像が、人の顔、シグナチャー、指紋、英数字情報、バーコード、またはそれらのいずれかの組合せの印刷された画像を含む、請求項１７に記載のタンパー表示印刷可能シート。
【請求項２３】
前記インクジェットビードボンド層に付着された接着剤の層をさらに含む、請求項１７に記載のタンパー表示印刷可能シート。
【請求項２４】
接着剤の前記層に付着されたライナーをさらに含む、請求項２３に記載のタンパー表示印刷可能シート。
【請求項２５】
再帰反射光下で見えるセキュリティ表示をさらに含む、請求項１７に記載のタンパー表示印刷可能シート。
【請求項２６】
前記インクジェット受容性ビードボンド層上に顕在的表示をさらに含む、請求項１７に記載のタンパー表示印刷可能シート。
【請求項２７】
前記顕在的画像が、人の顔、シグナチャー、指紋、英数字情報、バーコード、またはそれらのいずれかの組合せの印刷された画像を含む、請求項２６に記載のタンパー表示印刷可能シート。
【請求項２８】
画像除去液が前記インクジェット受容性ビードボンド層に適用された後に複数のマイクロビードが前記インクジェット受容性ビードボンド層から分離し、それによってタンパリングが表示される、請求項１７に記載のタンパー表示印刷可能シート。
【請求項２９】
請求項２０に記載のタンパー表示印刷可能シートと、
重要文書と、を組み合わせて含むセキュリティ文書であって、前記印刷可能シートが前記重要文書に挿入されるかまたは付着される、セキュリティ文書。
【請求項３０】
前記重要文書がパスポート、身分証明書、金融書類、入場券、所有権証、査証、出生証明書、居住認可証、またはその他のセキュリティまたはＩＤ関連文書である、請求項２９に記載のセキュリティ文書。
【請求項３１】
インクジェット受容性ビードボンド層に部分的に埋め込まれた複数のマイクロビードを含む再帰反射層であって、前記インクジェット受容性ビードボンド層が、タンパリングを表示するように形成される、再帰反射層と、
前記マイクロビードの少なくとも１つと前記インクジェット受容性ビードボンド層との間の反射体層と、を含むタンパー表示印刷可能シート。
【請求項３２】
前記反射体層と前記マイクロビードとの間に潜在的表示をさらに含む、請求項３１に記載のタンパー表示印刷可能シート。
【請求項３３】
前記潜在的表示が記号、単語、ロゴ、またはそれらのいずれかの組合せを含む、請求項３２に記載のタンパー表示印刷可能シート。
【請求項３４】
前記インクジェット受容性ビードボンド層上に印刷された画像をさらに含む、請求項３１に記載のタンパー表示印刷可能シート。
【請求項３５】
前記印刷された画像の一部が前記インクジェット受容性ビードボンド層から除去された後、複数の再帰反射マイクロビードが前記再帰反射層の一部から分離してタンパリングを表示する、請求項３４に記載のタンパー表示印刷可能シート。
【請求項３６】
前記印刷された画像がインクジェットインクを含む、請求項３４に記載のタンパー表示印刷可能シート。
【請求項３７】
前記印刷された画像が、人の顔、シグナチャー、指紋、英数字情報、バーコード、またはそれらのいずれかの組合せの印刷された画像を含む、請求項３４に記載のタンパー表示印刷可能シート。
【請求項３８】
前記インクジェット受容性ビードボンド層に付着された接着剤の層をさらに含む、請求項３１に記載のタンパー表示印刷可能シート。
【請求項３９】
接着剤の前記層に付着されたライナーをさらに含む、請求項３８に記載のタンパー表示印刷可能シート。
【請求項４０】
再帰反射光下で見えるセキュリティ表示をさらに含む、請求項３１に記載のタンパー表示印刷可能シート。
【請求項４１】
前記インクジェット受容性ビードボンド層上に顕在的表示をさらに含む、請求項３１に記載のタンパー表示印刷可能シート。
【請求項４２】
前記顕在的表示が、人の顔、シグナチャー、指紋、英数字情報、バーコード、またはそれらのいずれかの組合せの印刷された画像を含む、請求項４１に記載のタンパー表示印刷可能シート。
【請求項４３】
画像除去液が前記インクジェット受容性ビードボンド層に適用された後に複数のマイクロビードが前記インクジェット受容性ビードボンド層から分離し、それによってタンパリングが表示される、請求項３１に記載のタンパー表示印刷可能シート。
【請求項４４】
請求項３８に記載のタンパー表示印刷可能シートと、
重要文書と、を組み合わせて含むセキュリティ文書であって、前記印刷可能シートが前記重要文書に挿入されるかまたは付着される、セキュリティ文書。
【請求項４５】
前記重要文書がパスポート、身分証明書、金融書類、入場券、所有権証、査証、出生証明書、居住認可証、またはその他のセキュリティまたはＩＤ関連文書である、請求項４４に記載のセキュリティ文書。
【請求項４６】
ライナーと複数のマイクロビードとを提供する工程と、
前記複数のマイクロビードを前記ライナーに部分的に埋め込む工程と、
反射体層を前記複数のマイクロビード上にコーティングする工程と、
インクジェット受容性ビードボンド層を前記反射体層および複数のマイクロビード上にコーティングする工程と、を含む、タンパー表示印刷可能シートの作製方法。
【請求項４７】
画像を前記インクジェット受容性ビードボンド層上に印刷する工程をさらに含む、請求項４６に記載の方法。
【請求項４８】
前記部分的に埋め込む工程の後、潜在的表示を前記複数のマイクロビード上に印刷する工程をさらに含み、第１のコーティング工程が、反射体層を潜在的表示および複数のマイクロビード上にコーティングする工程を含む、請求項４６に記載の方法。
【請求項４９】
前記再帰反射層上の前記印刷された画像の一部を前記インクジェット受容性ビードボンド層から除去する工程と、
複数の再帰反射マイクロビードを前記インクジェット受容性ビードボンド層の一部から分離してそれによってタンパリングを表示する工程と、をさらに含む、請求項４７に記載の方法。
【請求項５０】
前記印刷された画像が前記インクジェット受容性ビードボンド層画像除去液から除去される、請求項４９に記載の方法。
【請求項５１】
顕在的表示を前記インクジェット受容性ビードボンド層上に印刷する工程をさらに含む、請求項４６に記載の方法。
【請求項５２】
接着剤の層を前記インクジェット受容性ビードボンド層上にコーティングする工程をさらに含む、請求項４８に記載の方法。
【請求項５３】
接着剤を基材に適用する工程と、
前記ライナーを前記複数のマイクロビードから剥がす工程と、をさらに含む、請求項４６に記載の方法。
【請求項５４】
前記タンパー表示印刷可能シートを重要文書に挿入するかまたは付着する工程をさらに含む、請求項５１に記載の方法。
【請求項５５】
前記重要文書がパスポート、身分証明書、金融書類、入場券、所有権証、査証、出生証明書、居住認可証、またはその他のセキュリティまたはＩＤ関連文書である、請求項５４に記載の方法。
【請求項５６】
前記インクジェット受容性ビードボンド層が架橋剤をさらに含む、請求項１に記載のタンパー表示印刷可能シート。
【請求項５７】
前記インクジェット受容性ビードボンド層がオルガノシランをさらに含む、請求項１に記載のタンパー表示印刷可能シート。
【請求項５８】
前記インクジェット受容性ビードボンド層と接触したビードボンド支持層をさらに含む、請求項１に記載のタンパー表示印刷可能シート。
【請求項５９】
前記インクジェット受容性ビードボンド層が架橋剤をさらに含む、請求項１７に記載のタンパー表示印刷可能シート。
【請求項６０】
前記インクジェット受容性ビードボンド層がオルガノシランをさらに含む、請求項１７に記載のタンパー表示印刷可能シート。
【請求項６１】
前記インクジェット受容性ビードボンド層と接触したビードボンド支持層をさらに含む、請求項１７に記載のタンパー表示印刷可能シート。
【請求項６２】
前記インクジェット受容性ビードボンド層が架橋剤をさらに含む、請求項３１に記載のタンパー表示印刷可能シート。
【請求項６３】
前記インクジェット受容性ビードボンド層がオルガノシランをさらに含む、請求項３１に記載のタンパー表示印刷可能シート。
【請求項６４】
前記インクジェット受容性ビードボンド層と接触したビードボンド支持層をさらに含む、請求項３１に記載のタンパー表示印刷可能シート。
【請求項６５】
前記インクジェット受容性ビードボンド層が架橋剤を含む、請求項４６に記載の方法。
【請求項６６】
前記インクジェット受容性ビードボンド層がオルガノシランをさらに含む、請求項４６に記載の方法。
【請求項６７】
ビードボンド支持層を前記インクジェット受容性ビードボンド層上にコーティングする工程をさらに含む、請求項４６に記載の方法。
【発明の詳細な説明】
【技術分野】
【０００１】
本発明は、タンパリングを表示することができる、重要文書を守るための印刷可能シートに関する。本発明はより詳しくは、インクジェット受容性ビードボンド層に部分的に埋め込まれた複数のマイクロビードを含む再帰反射層と、前記マイクロビードの少なくとも１つと前記インクジェット受容性ビードボンド層との間の反射体層と、を有する印刷可能シートに関する。また、本発明は、タンパー表示印刷可能シートの作製方法に関する。
【背景技術】
【０００２】
パスポート、身分証明書、入場券、所有権証、金融契約書などの重要文書はしばしば、個別化データによって特定の個人に帰属される。印刷された画像としてしばしば存在する個別化データは、写真、シグナチャー、指紋、個人用英数字情報、およびバーコードなどが挙げられ、検査のために文書を提出する個人が文書が帰属される個人であるという、人間によるかまたは電子的な確認を可能にする。偽造技術を用いてこのような文書の個別化データを変えることができ、従って非正規利用者が検査段階を通過し、文書を詐欺的な方法で使用できる懸念が広がっている。
【０００３】
多数のセキュリティ特徴が重要文書の認証を助けるために開発されており、従って、偽造者が重要文書を変更、複写または模造するのを防ぐのを助ける。これらのセキュリティ特徴には、顕在的セキュリティ特徴または潜在的セキュリティ特徴が挙げられる。顕在的セキュリティ特徴は、肉眼に容易に見える特徴であり、このような特徴には、ホログラムおよび他の回折光学可変画像、エンボス加工画像、およびカラー・シフトフィルムなどが挙げられる。対照的に、潜在的セキュリティ特徴には、特定の波長、偏光、または再起反射光の光の下での検査など、特定の条件下でしか見えない画像がある。顕在的および潜在的セキュリティ特徴の両方を含むラミネートの１つの例は、３Ｍ（登録商標）コンファーム（Ｃｏｎｆｉｒｍ）（登録商標）セキュリティラミネートであり、ミネソタ州、セントポール（Ｓｔ．Ｐａｕｌ，Ｍｉｎｎｅｓｏｔａ）の３Ｍカンパニー（３Ｍ  Ｃｏｍｐａｎｙ）から市販されている。このセキュリティラミネートは、身分証明書、バッジおよび運転免許証などの重要文書と共に用いられてもよく、識別、認証を提供するのを助け、偽造、変更、複製、および模造品に対して保護するのを助ける。顕在的および潜在的セキュリティ特徴の両方を有するラミネートの別の例は、米国特許公開第２００３／０１７０４２５Ａ１号明細書、「セキュリティラミネート（Ｓｅｃｕｒｉｔｙ  Ｌａｍｉｎａｔｅ）」（マン（Ｍａｎｎ）ら）に示されている。いくつかの他のデバイスの例は、米国特許第３，８０１，１８３号明細書および米国特許第４，６８８，８９４号明細書に教示されている。
【０００４】
有効なセキュリティ特徴の商業的成功はすばらしいが、偽造者の能力は変化し続けるので、偽造、変更、複製、および模造品に対して保護するのを助けるためにセキュリティ特徴がタンパリングまたは何らかの形で損なわれたことを示す能力をさらに改良することが望ましい。
【発明の開示】
【課題を解決するための手段】
【０００５】
本発明の１つの態様は、タンパー表示印刷可能シートを提供する。タンパー表示印刷可能シートは、インクジェット受容性ビードボンド層に部分的に埋め込まれた複数のマイクロビードを含む再帰反射層と、前記マイクロビードの少なくとも１つと前記インクジェット受容性ビードボンド層との間の反射体層と、を含む。上記のタンパー表示印刷可能シートの１つの好ましい実施形態において、タンパー表示印刷可能シートは、反射体層とマイクロビードとの間の潜在的表示をさらに含む。この実施形態の別の態様において、潜在的画像が、印刷された記号、単語、ロゴ、またはそれらの任意の組合せを含む。
【０００６】
上記のタンパー表示印刷可能シートの別の好ましい実施形態において、タンパー表示印刷可能シートは、インクジェット受容性ビードボンド層上に印刷された画像をさらに含む。この実施形態の別の態様において、印刷された画像の一部がインクジェット受容性ビードボンド層から除去された後、複数の再帰反射マイクロビードが再帰反射層の一部から分離してタンパリングを表示する。この実施形態のさらに別の態様において、印刷された画像の一部が画像除去液によって除去される。この実施形態の別の態様において、印刷された画像がインクジェットインクを含む。この実施形態のさらに別の態様において、前記印刷された画像は、人の顔、シグナチャー、指紋、英数字情報、バーコード、またはそれらの任意の組合せの印刷された画像を含む。
【０００７】
上記のタンパー表示印刷可能シートの別の好ましい実施形態において、タンパー表示印刷可能シートは、インクジェット受容性ビードボンド層に付着された接着剤の層をさらに含む。この実施形態の別の態様において、タンパー表示印刷可能シートは、接着剤の層に付着されたライナーをさらに含む。この実施形態の別の態様において、タンパー表示印刷可能シートは、再帰反射光条件下で見えるセキュリティ表示をさらに含む。この実施形態の別の態様において、タンパー表示印刷可能シートは、インクジェット受容性ビードボンド層上の顕在的表示をさらに含む。この実施形態の別の態様において、顕在的画像は、人の顔、シグナチャー、指紋、英数字情報、バーコード、またはそれらの任意の組合せの印刷された画像を含む。
【０００８】
上記のタンパー表示印刷可能シートの別の好ましい実施形態において、画像除去液がインクジェット受容層に適用された後に複数のマイクロビードがインクジェット受容性ビードボンド層から分離し、それによってタンパリングが表示される。
【０００９】
本発明の別の態様は、タンパー表示印刷可能シートの実施形態と、重要文書と、を組み合わせて含むセキュリティ文書を提供し、そこで前記印刷可能シートが前記重要文書に挿入されるかまたは付着される。この実施形態の別の態様において、重要文書は、パスポート、身分証明書、金融書類、入場券、所有権証、査証、出生証明書、居住認可証、または任意の他のセキュリティまたはＩＤ関連文書である。
【００１０】
本発明の別の態様は、別のタンパー表示印刷可能シートを提供する。このタンパー表示印刷可能シートは、インクジェット受容性ビードボンド層に部分的に埋め込まれた複数のマイクロビードを含む再帰反射層と、前記マイクロビードの少なくとも１つと前記インクジェット受容性ビードボンド層との間の反射体層と、前記インクジェット受容性ビードボンド層上の印刷された画像と、を含み、前記印刷された画像の一部が前記インクジェット受容性ビードボンド層から除去された後、複数の再帰反射マイクロビードが前記インクジェット受容性ビードボンド層の一部から分離してタンパリングを表示する。この実施形態の別の態様において、タンパー表示印刷可能シートは、反射体層とマイクロビードとの間の潜在的表示をさらに含む。この実施形態のさらに別の態様において、潜在的画像は、印刷された記号、単語、ロゴ、またはそれらの任意の組合せを含む。この実施形態の別の態様において、前記印刷された画像の前記一部が画像除去液によって除去される。
【００１１】
上記のタンパー表示印刷可能シートの別の好ましい実施形態において、印刷された画像はインクジェットインクを含む。上記のタンパー表示印刷可能シートの別の好ましい実施形態において、印刷された画像は、人の顔、シグナチャー、指紋、英数字情報、バーコード、またはそれらの任意の組合せの印刷された画像を含む。上記のタンパー表示印刷可能シートのさらに別の好ましい実施形態において、タンパー表示印刷可能シートは、インクジェットビードボンド層に付着された接着剤の層をさらに含む。この実施形態の別の態様において、タンパー表示印刷可能シートは、接着剤の層に付着されたライナーをさらに含む。
【００１２】
上記のタンパー表示印刷可能シートのさらに別の好ましい実施形態において、タンパー表示印刷可能シートは、再帰反射光下で見えるセキュリティ表示をさらに含む。上記のタンパー表示印刷可能シートの別の好ましい実施形態において、タンパー表示印刷可能シートは、インクジェット受容性ビードボンド層上の顕在的表示をさらに含む。この実施形態の別の態様において、顕在的画像は、人の顔、シグナチャー、指紋、英数字情報、バーコード、またはそれらの任意の組合せの印刷された画像を含む。上記のタンパー表示印刷可能シートのさらに別の好ましい実施形態において、画像除去液がインクジェット受容性ビードボンド層に適用された後に複数のマイクロビードがインクジェット受容性ビードボンド層から分離し、それによってタンパリングが表示される。
【００１３】
本発明の別の態様は、タンパー表示印刷可能シートの実施形態と、重要文書と、を組み合わせて含むセキュリティ文書を提供し、そこで前記印刷可能シートが前記重要文書に挿入されるかまたは付着される。この実施形態の別の態様において、重要文書は、パスポート、身分証明書、金融書類、入場券、所有権証、査証、出生証明書、居住認可証、または任意の他のセキュリティまたはＩＤ関連文書である。
【００１４】
本発明の別の態様は、さらに別の代替のタンパー表示印刷可能シートを提供した。このタンパー表示印刷可能シートは、インクジェット受容性ビードボンド層に部分的に埋め込まれた複数のマイクロビードを含む再帰反射層であって、前記インクジェット受容性ビードボンド層がタンパリングを表示するように形成される、再帰反射層と、前記マイクロビードの少なくとも１つと前記インクジェット受容性ビードボンド層との間の反射体層と、を含む。
【００１５】
上記のタンパー表示印刷可能シートの別の好ましい実施形態において、タンパー表示印刷可能シートは、反射体層とマイクロビードとの間の潜在的表示をさらに含む。上記のタンパー表示印刷可能シートの別の好ましい実施形態において、潜在的画像は記号、単語、ロゴ、またはそれらの任意の組合せを含む。この実施形態の別の態様において、タンパー表示印刷可能シートは前記インクジェット受容性ビードボンド層上に印刷された画像をさらに含む。この実施形態の別の態様において、印刷された画像の一部がインクジェット受容性ビードボンド層から除去された後、複数の再帰反射マイクロビードが再帰反射層の一部から分離してタンパリングを表示する。この実施形態のさらに別の態様において、前記印刷された画像はインクジェットインクを含む。この実施形態の別の態様において、印刷された画像は、人の顔、シグナチャー、指紋、英数字情報、バーコード、またはそれらの任意の組合せの印刷された画像を含む。
【００１６】
上記のタンパー表示印刷可能シートの別の好ましい実施形態において、タンパー表示印刷可能シートは、インクジェット受容性ビードボンド層に付着された接着剤の層をさらに含む。この実施形態の別の態様において、タンパー表示印刷可能シートは、接着剤の層に付着されたライナーをさらに含む。上記のタンパー表示印刷可能シートの別の好ましい実施形態において、タンパー表示印刷可能シートは、再帰反射光下で見えるセキュリティ表示をさらに含む。上記のタンパー表示印刷可能シートの別の好ましい実施形態において、タンパー表示印刷可能シートは、前記インクジェット受容性ビードボンド層上に顕在的表示をさらに含む。この実施形態の別の態様において、顕在的画像は、人の顔、シグナチャー、指紋、英数字情報、バーコード、またはそれらの任意の組合せの印刷された画像を含む。
【００１７】
上記のタンパー表示印刷可能シートの別の好ましい実施形態において、画像除去液がインクジェット受容性ビードボンド層に適用された後に複数のマイクロビードがインクジェット受容性ビードボンド層から分離し、それによってタンパリングが表示される。
【００１８】
本発明の別の態様が、タンパー表示印刷可能シートの実施形態と、重要文書と、を組み合わせて含むセキュリティ文書を提供し、そこで前記印刷可能シートが前記重要文書に挿入されるかまたは付着される。この実施形態の別の態様において、重要文書は、パスポート、身分証明書、金融書類、入場券、所有権証、査証、出生証明書、居住認可証、または任意の他のセキュリティまたはＩＤ関連文書である。
【００１９】
本発明の別の態様は、表示印刷可能シートの作製方法を提供する。この方法は、ライナーと複数のマイクロビードとを提供する工程と、前記複数のマイクロビードを前記ライナーに部分的に埋め込む工程と、反射体層を前記複数のマイクロビード上にコーティングする工程と、インクジェット受容性ビードボンド層を前記反射体層および複数のマイクロビード上にコーティングする工程と、を含む。上記の方法の別の好ましい実施形態において、方法は、画像を前記インクジェット受容性ビードボンド層上に印刷する工程をさらに含む。上記の方法の別の好ましい実施形態において、方法は、部分的に埋め込む工程の後、潜在的表示を複数のマイクロビード上に印刷する工程をさらに含み、第１のコーティング工程が、反射体層を潜在的表示および複数のマイクロビード上にコーティングする工程を含む。この実施形態の別の態様において、方法は、再帰反射層上の印刷された画像の一部をインクジェット受容性ビードボンド層から除去する工程と、複数の再帰反射マイクロビードを前記インクジェット受容性ビードボンド層の一部から分離してそれによってタンパリングを表示する工程と、をさらに含む。この実施形態の別の態様において、印刷された画像はインクジェット受容性ビードボンド層画像除去液から除去される。上記の方法の別の好ましい実施形態において、方法は、顕在的表示をインクジェット受容性ビードボンド層上に印刷する工程をさらに含む。この実施形態の別の態様において、方法は、接着剤の層を再帰反射層上にコーティングする工程をさらに含む。
【００２０】
上記の方法の別の好ましい実施形態において、方法は、接着剤を基材に適用する工程と、複数のマイクロビードがインクジェットビードボンド層に部分的に埋め込まれるようにライナーを複数のマイクロビードから剥がす工程と、をさらに含む。上記の方法の別の好ましい実施形態において、方法は、タンパー表示印刷可能シートを重要文書に挿入するかまたは付着する工程をさらに含む。この実施形態の別の態様において、重要文書は、パスポート、身分証明書、金融書類、入場券、所有権証、査証、出生証明書、居住認可証、または任意の他のセキュリティまたはＩＤ関連文書である。
【００２１】
特定の用語が明細書および特許請求の範囲において用いられ、大部分は公知であるが若干の説明を必要とする場合がある。本明細書中で用いられるとき、用語「再帰反射」は、入射光線をその入射方向か大体その方向に逆平行の方向に反射し、その結果、それが光源またはそのすぐ近傍に戻る性質を指す。
【００２２】
本明細書中で用いられるとき、用語「標準照明条件」は、部屋を照明するために典型的に用いられる光と同じように、実質的に拡散されている周辺光の存在を指す。用語「再帰反射光条件」は、自動車のヘッドライトによってまたはフラッシュライトによって送られた光など、実質的に平行化され、光源またはそのすぐ近傍に戻る周辺光を指す。用語「肉眼」は、例えば、拡大によって強められていない、標準の（または標準に矯正された）人の視力を意味する。
【００２３】
本発明は、添付した図面を参照してさらに説明されるが、そこにおいて、同じ構造体が種々の図にわたって同じ符号によって示される。
【発明を実施するための最良の形態】
【００２４】
多くの国は、パスポート冊子を申込者に発行する旅券局がある。典型的に、パスポートは多数のページを有し、パスポート冊子内のページの１つは、特定の申込者についての個別化情報、例えばそれらの写真、正式名称、国籍、出生日等、および特定のパスポート識別可能情報、例えば機械読み取り可能領域またはバーコードを印刷される。情報が印刷された後、いくつかの旅券局は、セキュリティフィルムを印刷された情報の上にラミネートしてパスポートを識別および認証するのを助ける。このセキュリティフィルムは、情報が後日にタンパリングされたかもしれないことを表示するのをさらに助けることができる。このラミネート方法は通常、印刷されたパスポートのページにセキュリティフィルムをラミネートするために熱および圧力を用いる特殊な装置を必要とする。このようなセキュリティフィルムの１つの例は、３Ｍ（登録商標）コンファーム（Ｃｏｎｆｉｒｍ）（登録商標）セキュリティラミネートとしてミネソタ州、セントポールの３Ｍカンパニーから市販されている。このセキュリティフィルムは、集束光を有する、３Ｍ（登録商標）ビューア（Ｖｉｅｗｅｒ）で見られた時に見える潜在的画像を備え、有効なパスポートを識別および認証するのを助ける。さらに、偽造者が、ラミネートされたセキュリティフィルム下で、印刷された情報を変えようとする場合、３Ｍ（登録商標）コンファーム（登録商標）セキュリティラミネートは、印刷された情報を書き換えるために必ず剥離され、フィルムを破壊し、印刷された情報およびおそらく潜在的画像を破損させる結果となり、同様に、タンパリングが行われたことを表示する。
【００２５】
典型的に、標準パスポートは、国の中央パスポート受付所を通して発行される。標準パスポートを申請するために、個人は申請書に記入し、現在の写真または受付所で撮られたそれらの写真など、それらの個人用情報を提出する。次に、旅券局は申請書を処理し、様々な要素に基づいてパスポートを申込者に発行すべきかどうか決定する。パスポートの出願から発行までのこのプロセスは典型的に、最大４週間またはそれ以上時間がかかることがある。
【００２６】
しかしながら、旅券局は、申込者による非常用または仮パスポートの申請を受理する場合があり、そこで申込者は、パスポートを受け取るために４週間以上待つ必要はない。例えば、申込者は、別の国に病気の親族がいる場合があり、または申込者は、その国を訪問している間にそれらのパスポートを失くしてしまう場合があり、その国を去って帰国するために新しいパスポートを必要とする。従って、これらの非常用パスポートをきわめて迅速に発行でき、しかも適切な識別、認証を提供するなど、必要なセキュリティ特徴を提供することができ、後日にパスポートがタンパリングされたかどうか表示することができる必要がある。
【００２７】
本発明の印刷可能シートは、容易に印刷され、感圧接着剤などの接着剤によって非常用または仮パスポート冊子のページの１つに付着されうるので、非常用または仮パスポートを申込者に発行するために用いられてもよい。従って、印刷可能シートは、熱および圧力を用いてそれをパスポート冊子にラミネートするために特別な装置を必要としない。さらに、印刷可能シートは、（以下により詳細に記載された）顕在的および潜在的セキュリティ特徴の両方を備え、有効なパスポートとしてパスポートを識別および認証するのを助ける。最後に、印刷可能シートは、パスポートがタンパリングされたかどうか明らかに表示するように構成される。換言すれば、誰かがシート上の印刷された情報を除去してそれを新しい名前または写真などの新しい印刷された情報と取り替えて偽造パスポートを作製した場合、本発明のタンパー表示シートは、パスポートがタンパリングされたことを検査者に示し（以下により詳細に記載された）、次いで検査者は、個人の出入国を差し止めるなど、適切な処置をとることができる。本発明のタンパー表示印刷可能シート１０はまた、将来に標準パスポートを発行するためにまたは他の重要文書のために使用可能である。
【００２８】
タンパー表示の１つの実施形態において、本発明の印刷可能シート１０は図１に示される。印刷可能シート１０は、複数の再帰反射ガラスマイクロビード１２を備え、好ましくは、各々が、インクジェット受容性ビードボンド層１４に部分的に埋め込まれて突出する、反射体層２０を有する。一緒に、再帰反射マイクロビード１２、反射体層２０およびインクジェット受容性ビードボンド１４が再帰反射層１８を形成する。マイクロビード１２はガラスであってもよい。１つの実施形態において、マイクロビード１２は、約１０〜約２００マイクロメートルのサイズの範囲であってもよい。別の実施形態において、ガラスビードは、約２５マイクロメートル〜約７５マイクロメートルのサイズの範囲である。このようなガラスマイクロビード１２は典型的に、少なくとも約１．８の屈折率を有する。典型的に、再帰反射層１８のマイクロビード１２は、インクジェット受容性ビードボンド層１４にほぼ半球状に埋め込まれる。しかしながら、インクジェット受容性ビードボンド層１４に埋め込まれたマイクロビード１２の量は、マイクロビードの直径の約２５〜約７５％変化してもよい。反射体層２０は好ましくは、透明な高屈折率材料である。有用な反射体層材料の例には、三酸化ビスマス、硫化亜鉛、二酸化チタン、酸化ジルコニウムの他、硫化亜鉛／Ｎａ3ＡｌＦ6の積層体などがある。適した反射体層２０の１つの例は、米国特許第３，８０１，１８３号明細書（その内容を参照によって援用するものとする）に記載されているような透明な高屈折率材料である。
【００２９】
インクジェット受容性ビードボンド層１４は、少なくとも３つの目的に役立つ。第１に、インクジェット受容性ビードボンド層１４は、画像または他の情報を識別可能または読み取り可能な形で受容するために用いられる。インクジェット受容性ビードボンド層１４中のインク２８は、この画像および他の情報を形成する。１つの実施形態において、画像２８または他の情報は印刷可能シート１０の露出したビード面上にインクジェット印刷され、印刷されたインクの大部分がインクジェット受容層４に保持される。印刷可能なシート１０は、水性インク、溶剤型インク、および紫外線光硬化性インクを用いて画像形成されてもよい。好ましくは、印刷可能なシート１０は、インクジェットプリンタおよび水性インクを用いて画像形成されてもよい。インクは顔料または染料系着色剤を利用してもよい。第二に、インクジェット受容性ビードボンド層１４は、マイクロビード１２を所定の位置にしっかりと保持する。最後に、非常に意外なことに、インクジェット受容性ビードボンド層は、旅券局がパスポートを発行した後に印刷可能シートがタンパリングされた場合、明瞭に表示する。具体的に、印刷された画像２８が溶剤などの画像除去液によって除去される場合、印刷シート１０は、図３に示されるように、マイクロビード１２をインクジェット受容性ビードボンド層１４から分離または取り除くことによってこのようなタンパリングを表示する。マイクロビード１２の分離は、図７に示されるように、マイクロビードが分離され、再帰反射照明条件下で黒色領域６０として見え、再帰反射照明条件下で明らかに見える領域において再帰反射層１８によって示される再帰反射性の低下をもたらす。
【００３０】
好ましくは、インクジェット受容性ビードボンド層１４は耐水性および耐磨耗性である。好ましくは、インクジェット受容性ビードボンド層１４は透明である。別の実施形態において、インクジェット受容性ビードボンド層はオルガノシランを含有してもよい。適したオルガノシランの例には、アミノ官能性シラン（例えば、コネチカット州、ウィルトンのＧＥシリコーン（ＧＥ  Ｓｉｌｉｃｏｎｅｓ，Ｗｉｌｔｏｎ，ＣＴ）製のシルクエスト（Ｓｉｌｑｕｅｓｔ）（登録商標）Ａ−１１００、シルクエスト（登録商標）Ａ−１１２０、またはシルクエスト（登録商標）Ａ−２１２０、またはニュージャージー州、ピスキャタウェイのハルス・アメリカ社（Ｈｕｌｓ  Ａｍｅｒｉｃａ  Ｉｎｃ．，Ｐｉｓｃａｔａｗａｙ，ＮＪ）製のダイナシラン（Ｄｙｎａｓｙｌａｎ）（登録商標）ＣＡ０７４２またはダイナシラン（登録商標）ＣＭ８６２０）、エポキシ官能性シラン（例えば、コネチカット州、ウィルトンのＧＥシリコーン製のシルクエスト（登録商標）Ａ−１８６またはシルクエスト（登録商標）Ａ−１８７）、および硫黄官能性シラン（例えば、コネチカット州、ウィルトンのＧＥシリコーン製のシルクエスト（登録商標）Ａ−１８９）などがある。好ましいアミノ官能性シランには、シルクエスト（登録商標）Ａ−１１００またはシルクエスト（登録商標）Ａ−１１２０などの第一アミノ官能性メトキシまたはエトキシシランがある。好ましいエポキシ官能性メトキシまたはエトキシシランには、シルクエスト（登録商標）Ａ−１８６またはシルクエスト（登録商標）Ａ−１８７などのシランがある。
【００３１】
有用なインクジェット受容性ビードボンド層１４は、米国特許第５，７６６，３９８号明細書、米国特許第４，７７５，５９４号明細書、米国特許第５，１２６，１９５号明細書、米国特許第５，１９８，３０６号明細書に開示されているように、ビニルピロリドンホモポリマーおよびコポリマーおよびそれらの置換誘導体、酢酸ビニルコポリマー、例えば、ビニルピロリドンと酢酸ビニルとのコポリマー、ポリビニルアルコール、ゼラチンおよび改質ゼラチンなどを含有する。また、このような材料は、場合により、アルミナおよび／またはシリカ粒子などの無機材料を含有してもよい。
【００３２】
１つの実施形態において、インクジェット受容性ビードボンド層１４は、ポリビニルピリジンを含み、架橋剤および／または媒染剤をさらに含有してもよい。ポリビニルピリジンは、適切な酸で少なくとも部分中和されるとき、架橋されうる水溶性ポリマーである。典型的なポリビニルピリジンは、ポリ（４−ビニルピリジン）である。インクジェット受容性ビードボンド層１４は、１５乾燥重量パーセント超〜約１００乾燥重量パーセントのポリビニルピリジンを含有してもよい。１つの実施形態において、本発明のインクジェット受容性ビードボンド層１４は、乾燥量基準で少なくとも１５重量パーセント超のポリビニルピリジンを含有する。他の実施形態において、インクジェット受容性ビードボンド層１４は、少なくとも２０、少なくとも２５、少なくとも３０、または少なくとも３５重量パーセントのポリビニルピリジンを含有する。他の実施形態において、インクジェット受容性ビードボンド層１４は、乾燥量基準および２０〜１００重量パーセントの任意の自然数または分数量で約２０〜１００、約３０〜１００、約４０〜１００、約４５〜１００、または約４５〜８５重量パーセントのポリビニルピリジンを含有する。
【００３３】
インクジェット受容性ビードボンド層１４は、１つまたは複数の架橋剤を含有してもよい。架橋剤は、ポリビニルピリジンを架橋することによって耐久的インク受容体を提供する。有用な架橋剤には、多官能性アジリジン化合物（例えば、ニュージャージー州、バーミンガムのシブロン・ケミカルズ（Ｓｙｂｒｏｎ  Ｃｈｅｍｉｃａｌｓ，Ｂｉｒｍｉｎｇｈａｍ，ＮＪ）から入手可能なＸＡＭＡ−２およびＸＡＭＡ−７）、多官能性エポキシ化合物（例えば、テキサス州、ヒューストンのレゾリューション・パフォーマンス・プロダクトツ（Ｒｅｓｏｌｕｔｉｏｎ  Ｐｅｒｆｏｒｍａｎｃｅ  Ｐｒｏｄｕｃｔｓ，Ｈｏｕｓｔｏｎ，ＴＸ）から入手可能なヘロキシ・モディファイアー（ＨＥＬＯＸＹ  Ｍｏｄｉｆｉｅｒ）４８、またはフロリダ州、サラソタのエスプリックス・デジタル・イメージング・テクノロジー（Ｅｓｐｒｉｘ  Ｄｉｇｉｔａｌ  Ｉｍａｇｉｎｇ  Ｔｅｃｈｎｏｌｏｇｉｅｓ，Ｓａｒａｓｏｔａ，ＦＬ）から入手可能なＣＲ−５Ｌ）、多官能性イソプロピルオキサゾリン化合物（例えば、フロリダ州、サラソタのエスプリックス・デジタル・イメージング・テクノロジーから入手可能なエポクロス（ＥＰＯＣＲＯＳ）ＷＳ−５００）、およびエポキシ官能性メトキシシラン化合物（例えば、ミシガン州、ミッドランドのダウ・コーニング（ＤｏｗＣｏｒｎｉｎｇ，Ｍｉｄｌａｎｄ，ＭＩ）から入手可能なＺ−６０４０シラン）などがあるがそれらに限定されない。
【００３４】
インクジェット受容性ビードボンド層１４は、耐久的および水の作用によって変化しない受容体を形成するために、ポリビニルピリジンを架橋するための架橋剤の有効量を含有してもよい。架橋剤の単位質量あたりの架橋部位の数は典型的に、特定の架橋剤の有効性を特性決定する。架橋部位の数（「当量（ｅｑｕｉｖａｌｅｎｔｓ）」と称されることもある）は、架橋剤の量が、架橋される材料と理論的に形成することができる結合の最大数を指す。当量（ｅｑｕｉｖａｌｅｎｔ  ｗｅｉｇｈｔ）は、１モルの当量または架橋部位を含有する架橋剤のグラム数を指す。
【００３５】
インクジェット受容性ビードボンド層１４は、ポリビニルピリジン１グラム当たり約０．００６〜約１．５ミリモルの架橋部位、約０．０３〜約０．６ミリモルの架橋部位、または約０．０３〜約０．３ミリモルの架橋部位を含有してもよい。
【００３６】
ポリビニルピリジンを含むインクジェット受容性ビードボンド層１４は、１つまたは複数の媒染剤を含有してもよい。本明細書中で用いられるとき、「媒染剤」は、インク中の染料と結合または相互作用する材料である。媒染剤は、画像に対して増大した耐久性、特に耐水性を提供するためにインク染料を定着するために用いられる。典型的な媒染剤は、カチオン性部分、例えば、第四アミノ基を含有する材料または化合物である。有用な媒染剤には、フリーテックス（ＦＲＥＥＴＥＸ）６８５（オハイオ州、クリーブランドのノヴェオン社（Ｎｏｖｅｏｎ，Ｉｎｃ．，Ｃｌｅｖｅｌａｎｄ，ＯＨ）から入手可能な多第四アミン）、ダイフィックス（ＤＹＥＦＩＸ）３１５２（ペンシルベニア州、ピッツバーグのベイヤー（Ｂａｙｅｒ，Ｐｉｔｔｓｂｕｒｇｈ，ＰＡ）から入手可能なアンモニウムクロリド−シアノグアニジン−ホルムアルデヒドコポリマー）、グラスコル（ＧＬＡＳＣＯＬ）Ｆ２０７（ニューヨーク州、タリータウン、ノースアメリカのチバ・スペシャルティ・ケミカルズ（Ｃｉｂａ  Ｓｐｅｃｉａｌｔｙ  Ｃｈｅｍｉｃａｌｓ，Ｎｏｒｔｈ  Ａｍｅｒｉｃａ，Ｔａｒｒｙｔｏｗｎ，ＮＹ）から入手可能な、２−プロペン−１−アミニウム，Ｎ，Ｎ−ジメチル−Ｎ−２−プロペニル−，クロリド，ホモポリマー）などがあるがそれらに限定されない。ポリビニルピリジンを含むインクジェット受容性ビードボンド層１４は、０〜７０乾燥重量パーセントの任意の自然数または分数量で、約７０乾燥重量パーセントまで、約６０乾燥重量パーセントまで、約５０乾燥重量パーセントまで、約４０乾燥重量パーセントまで、または約３０乾燥重量パーセントまでの媒染剤を含有してもよい。他の実施形態において、インクジェット受容性ビードボンド層１４は、約４０〜約９０重量パーセントの媒染剤を含有してもよい。
【００３７】
適したインクジェット受容性ビードボンド層１４の例は、インクジェットエマルションＩＪ−１００、ＩＪ−１３０、ＩＪ−１４０、ＩＪ−１５０、ＩＪ−１７０、およびＩＪ−１８０として商品名エスプリット（ＥＳＰＲＩＴ）でフロリダ州、サラソタのエスプリックス・デジタル・イメージング・テクノロジーから市販されている改質ポリウレタン樹脂を含有する。ポリウレタンインクジェットビードボンド層１４の１つの実施形態において、架橋剤の添加は、印刷可能シートの耐久性を増加させるのを助け、印刷可能シートに対するマイクロビード１２の接着性を増加させるのを助け、（以下に記載された）ビードボンド支持層２１中の溶剤型ポリウレタン中の一部が水性ポリウレタンインクジェット受容性ビードボンド層１４中に移動するかまたは混合するのを防ぐのを助けるのに役立つ場合がある。ポリウレタンインクジェットビードボンド層１４の別の実施形態において、シラン化合物の添加もまた、印刷可能シートの耐久性を増加させるのを助け、印刷可能シートに対するマイクロビード１２の接着性を増加させるのを助けるのに役立つ場合がある。さらに別の実施形態において、シラン化合物はまた、架橋剤として役立つ場合があり、または他の架橋剤ならびにシラン化合物がインクジェット受容性ビードボンド層１４に混入されてもよい。
【００３８】
１つの実施形態において、タンパー表示印刷可能シート１０は、標準照明条件下で見られた時に印刷可能シート１０を通して好ましくは見える顕在的表示２４を備えてもよい。この実施形態において、再帰反射層１８は実質的に透明であり、顕在的表示２４は、標準照明条件下で照明された時に見える。顕在的表示２４は、人の顔、シグナチャー、指紋、英数字情報、バーコード、またはそれらの任意の組合せの印刷された画像を備えてもよい。顕在的表示２４は、マイクロビード１２の反対側のインクジェット受容性ビードボンド層１４に直接に付着または印刷されてもよい（図示せず）。あるいは、顕在的表示２４は、接着剤の層１６によって印刷シート１０に付着される基材２２上に直接に付着または印刷されてもよい。この実施形態において、接着剤１６は、視認者が顕在的表示２４を見ることを可能にするために好ましくは透明である。あるいは、顕在的表示２４をタンパー表示印刷可能シート１０の後面に逆表示形式で観察することができる。
【００３９】
別の実施形態において、タンパー表示印刷可能シート１０は別のタイプの顕在的表示２８を備え、情報がマイクロビード１２の間のインクジェット受容性ビードボンド層１４上に印刷された。顕在的表示２８はパスポート所有者の個別化情報など、変えられる情報を備えてもよい。例えば、顕在的表示２８は、人の顔、シグナチャー、指紋、英数字情報、バーコード、またはそれらの任意の組合せの形であってもよい。顕在的表示２４は、パスポートを発行した国を表す記号または単語などの固定された情報を備えてもよい。
【００４０】
別の実施形態において、タンパー表示印刷可能シート１０は、印刷可能シート１０が例えば、再起反射光によって照明される時に好ましくは見える潜在的表示２６を備えてもよい。潜在的表示２６は、反射体層２０とガラスマイクロビード１２との間に配置される。マイクロビード１２の一部に隣接するかまたはマイクロビード１２の全てに隣接して潜在的表示２６を備えてもよい。隣接したマイクロビード１２下の異なった潜在的表示２６は、記号、単語、ロゴ、またはそれらの任意の組合せの印刷された画像を形成してもよい。潜在的表示２６は好ましくは、透明なインクでマイクロビード１２上にフレキソ印刷される。
【００４１】
タンパー表示印刷可能シート１０は、任意の組合せおよび任意の数の顕在的表示２４、２８および潜在的表示２６を備えてもよい。例えば、タンパー表示印刷可能シート１０は、潜在的表示２６と組み合わせて顕在的表示２４を備えてもよい。別の例として、タンパー表示印刷可能シート１０は、顕在的表示２４または潜在的表示２６のどちらかを備えてもよい。さらに別の例として、タンパー表示印刷可能シート１０は、潜在的表示２６と組み合わせて顕在的表示２８を備えてもよい。タンパー表示印刷可能シート１０は、顕在的表示２８を備えるだけか、または顕在的表示２４、潜在的表示２６および顕在的表示２８を備えてもよい。
【００４２】
図１に示されるように、タンパー表示印刷可能シート１０は好ましくは、接着剤１６によって基材２２に結合される。しかしながら、印刷可能シート１０は、当業者に公知の他の手段によって基材に挿入されるかあるいは他の方法で付着されてもよい。タンパー表示印刷可能シート１０をパスポート、身分証明書、ラベル、入場券、所有権証、金融契約書などの任意の重要文書と共に使用することができる。重要文書は不織物または織物であってもよい。タンパー表示印刷可能シート１０は画像形成されてもよく、パスポートなどの重要文書に付着されてもよく、または画像形成され、裏材料に付着され、次いで製造プロセスの一部として、文書に挿入されてもよい。あるいは、タンパー表示印刷可能シート１０は最初に文書に付着されるかまたは挿入され、次いで画像形成されてもよい。
【００４３】
タンパー表示印刷可能シート１０を基材２２に結合するための有用な接着剤１６には、感圧接着剤、熱活性化接着剤、紫外線光硬化性接着剤、熱硬化性樹脂系接着剤および再湿型（ｒｅｍｏｉｓｔｅｎａｂｌｅ）接着剤などがある。
【００４４】
別の実施形態において、接着剤または基材の付加的な層を基材２２に付着してもよい。例えば、感圧接着剤およびライナーの層を付加して粘着性ラベルを形成してもよい。
【００４５】
本発明のタンパー表示印刷可能シート４０の別の実施形態を図２に示す。タンパー表示印刷可能シート４０は、図１を参照して上に記載されたタンパー表示印刷可能シート１０と全く同じであるが、ただし、それは潜在的表示を備えない。この実施形態において、タンパー表示印刷可能シート４０は、インクジェット受容性ビードボンド層１４に部分的に埋め込まれて突出する反射体層２０を（再帰反射層４８と共に）有する複数の再帰反射ガラスマイクロビード４２と、インクジェット受容性ビードボンド層１４に結合された接着剤層１６と、を備える。また、タンパー表示印刷可能シート４０は、印刷された画像または顕在的表示２８を備える。タンパー表示印刷可能シート４０は、標準照明条件下で見られた時にタンパー表示印刷可能シート４０を通して好ましくは見える画像または顕在的表示２４を備える基材２２に結合される。この実施形態において、再帰反射層４８は、再起反射光で照明される時に再帰反射性であるが、潜在的セキュリティ表示はマイクロビード１２上に存在しない。
【００４６】
図３は、タンパリングされた時にタンパー表示印刷可能シート１０に何が起こるかを示す。具体的には、印刷された画像２８が溶剤などの除去液の使用によって除去される場合、印刷シート１０は、マイクロビード１２をインクジェット受容性ビードボンド層１４から分離または除去することによってこのようなタンパリングを表示する。マイクロビード１２の分離は、再帰反射層１８によって示される再帰反射性の低下をもたらし、図７に示されるように、再帰反射照明条件下で検査者に明らかに可視的な黒色領域６０として見える。さらに、潜在的表示２６および／または反射体層２０もまた、インクジェット受容性ビードボンド層１４から分離してしまう場合があるので、潜在的表示２６はユーザーに視認可能でない場合がある。また、分離されたマイクロビード１２によってインクジェット受容性ビードボンド層１４に残されたクレーターは、標準照明条件下でまたはタンパリングを表示するために拡大鏡を用いて見える場合がある。また、十分なマイクロビード１２が分離する場合、指先でビードの存在しないことを感じてタンパリングを検出することが可能である場合がある。
【００４７】
マイクロビード１２は、様々な理由のために、溶剤などの画像除去液を適用した時にインクジェット受容性ビードボンド層１４から除去または分離される。第一に、インクジェットビードボンド層１４が膨潤され、結果として、マイクロビード１２がインクジェットビードボンド層１４から物理的に分離されると考えられる。第二に、画像除去液がインクジェットビードボンド層の結合または接着特性を変え、結果として、マイクロビード１２がインクジェットビードボンド層１４から物理的に分離されることが可能である。第三に、図３に示されるように、インクジェット受容性ビードボンド層１４が画像除去液によって部分的に溶解されることも可能である。正確な原因に関係なく、マイクロビード１２はインクジェットビードボンド層１４から分離し、印刷可能シート１０がタンパリングされた表示をもたらす。
【００４８】
タンパー表示印刷可能シート１０の別の実施形態は、合成浮動画像を有するシート材料を使用する工程を含む（図示せず）。この実施形態において、合成浮動画像を有するシート材料は、米国特許第６，２８８，８４２号明細書、「浮動する合成画像を有するシート材料（Ｓｈｅｅｔｉｎｇ  ｗｉｔｈ  Ｃｏｍｐｏｓｉｔｅ  Ｉｍａｇｅ  ｔｈａｔ  Ｆｌｏａｔｓ）」（フロルクザク（Ｆｌｏｒｃｚａｋ）ら）に開示されているが、ただし、バインダー層の代わりに本出願に教示されたインクジェット受容性ビードボンド層が用いられる。米国特許第６，２８８，８４２号明細書、「浮動する合成画像を有するシート材料」（フロルクザクら）を参照によって本願明細書に援用するものとする。この実施形態において、印刷された画像が溶剤などの画像除去液によって除去されるとき、印刷可能シートは、上により詳細に説明されているが、マイクロビードの分離および再帰反射性の低下によってタンパリングされたことを表示する。さらに、浮動画像はまた、影響を与えられるかまたはもはや見えず、従って、印刷可能シートが変更またはタンパリングされたという表示をさらに提供する。
【００４９】
図４および５は、先行技術のセキュリティラミネート５０および画像除去液による印刷された画像５２の除去の結果を示す。図４および５の先行技術のセキュリティラミネート５０は、米国特許公開第２００３／０１７０４２５Ａ１号明細書、「セキュリティラミネート（Ｓｅｃｕｒｉｔｙ  Ｌａｍｉｎａｔｅ）」（マン（Ｍａｎｎ）ら）（本出願と同じ譲受人によって所有される）に記載されているのと同じセキュリティラミネートである。先行技術のセキュリティラミネート５０は、インクジェットプリンタによって水性インクで印刷されてパスポートと同様な印刷された画像５２を形成している。画像５２は、パスポートを所有する個人の写真肖像５２ｂおよび機械読み取り可能領域５２ａを備える。写真５２ｂの一部５４は、イソプロパノールによって除去されている。図４は、標準照明条件下の先行技術のセキュリティラミネート５０を示す。図５は、潜在的表示５６を見るために、再帰反射光条件下の同じ先行技術のセキュリティラミネート５０を示す。先行技術のセキュリティラミネート５０は、２つの形の潜在的表示、単語「ＣＯＮＦＩＲＭ」５６ａおよびシール５６ｂを備える。写真画像５２ｂが除去された部分５４に示されるように、潜在的表示５６はまだ視認可能であり、タンパリングの徴候がない。この先行技術のセキュリティラミネートは、偽造者が写真画像を先行技術のセキュリティラミネートの画像受容性材料を除去し、それを新しい写真画像と取り替えて偽造パスポートを作製するのを可能にする。
【００５０】
対照的に、図６および７は、本発明のタンパー表示印刷可能シート１０および画像除去液、イソプロパノールアルコールの使用によって、印刷された画像５２の除去の結果を示す。先行技術のセキュリティラミネート５０と同様、タンパー表示印刷可能シート１０は、インクジェットプリンタによって水性インクで印刷されてパスポートと同様な印刷された画像５２を形成している。図４および５と同様、画像５２は、パスポートを所有する個人の写真肖像５２ｂおよび機械読み取り可能領域５２ａを備える。写真５２ｂの部分５４は、画像除去液、イソプロパノールアルコールによって除去されている。図６は、標準照明条件下のタンパー表示印刷可能シート１０を示す。図７は、潜在的表示５６を見るために、再帰反射光条件下の同じタンパー表示印刷可能シート１０を示す。図４および５と同様、タンパー表示印刷可能シート１０は、２つの形の潜在的表示、単語「ＣＯＮＦＩＲＭ」５６ａおよびシール５６ｂを備える。図６の標準照明条件下、写真画像５２ｂが除去された領域は、白い汚点として見られる。図７の再帰反射照明条件下、写真画像５２ｂが除去された部分５４において、潜在的表示５６の部分６０は視認可能でない。代わりに、図７の黒色汚点６０によって明瞭であるようにタンパリングの明らかな表示がある。これらの黒色汚点６０は、マイクロビード１２がインクジェット受容性ビードボンド層１４から除去または分離された再帰反射層１８の領域である。マイクロビード１２が分離したので、タンパー表示印刷可能シート１０の再帰反射性の低下がある。さらに、潜在的表示２６が、分離されたマイクロビード１２上にフレキソ印刷されたので、大抵、潜在的表示２６もまた、マイクロビード１２を有するインクジェットビードボンド層１４から分離された。反射体層２０の一部分または全ても、マイクロビード４２と共に分離されることがありうる。しかしながら、反射体層２０の一部分または全てが無損傷のままであることがありうる。国境検査所の検査者が再帰反射光条件下で印刷シート１０上のこれらの黒色汚点に目を留める場合、パスポートの印刷シート１０がタンパリングされたことにただちに気付き、検査者は、個人の出入国を差し止めるなど、適切な処置をとることができる。
【００５１】
印刷された画像２８をインクジェットビードボンド層１４から除去できる可能性がある代表的な画像除去液の実施例は、以下の実施例に記載される。
【００５２】
タンパー表示印刷可能シート１０、４０を作製する１つの典型的な方法は以下の通りである。最初に、ガラスマイクロビード１２の単一層を、ポリオレフィンの薄いコーティングを有するペーパーキャリヤーの１つの面上に流し塗りする。次に、マイクロビード１２およびペーパーキャリヤーを制御された温度および速度の炉中に送る。熱および重力のために、マイクロビード１２はポリオレフィンライナー中に部分的に沈められるかまたは部分的に埋め込まれる。ポリオレフィン層中に埋め込まれていない過剰なマイクロビード１２は、例えば、真空供給源によって、キャリヤーから除去される。次に、潜在的表示２６が露出したマイクロビード１２上にフレキソ印刷される。次に、反射体層２０は、部分的に光透過性の誘電体ミラー材料を潜在的表示２６およびマイクロビード１２の上部の上に蒸気コーティングすることによって形成される。次に、インクジェット受容性ビードボンド層１４が、蒸気コーティングされたマイクロビード１２上にコーティングされる。次に、接着剤の層がインクジェット受容性ビードボンド層１４と紙などの別の基材との間に置かれる。次に、ペーパーキャリヤーを剥離して、図１および２に示されたタンパー表示印刷可能シート１０、４０を見えるようにする。最後に、感圧接着剤の別の層を紙基材上にコーティングしてもよく、ライナーを感圧接着剤に付加してもよい。タンパー表示印刷可能シート１０、４０の大きなシートが所望の形状およびサイズに打ち抜かれてもよく、また、ロールの形で提供されてもよい。
【００５３】
図８は、本発明のタンパー表示印刷可能シート７０のさらに別の実施形態を示す。タンパー表示印刷可能シート７０は、図１のタンパー表示印刷可能シート１０に非常に似ているが、ただし、印刷可能シート７０は付加的なビードボンド支持層２１を備え、好ましくは、必ずしもではないが、インクジェット受容性ビードボンド層１４は架橋剤を含有する。架橋剤をインクジェット受容性ビードボンド層１４に添加することと、付加的なビードボンド支持層２１は、印刷可能シート７０の耐久性の増加を促進し、印刷可能シート７０に対するマイクロビード１２の接着力の増加を促進するのに役立つ場合がある。
【００５４】
好ましくは、ビードボンド支持層２１は、溶剤型ポリウレタンプレポリマーから作製される。何らかの特定の理論によって縛られることを望まないが、インクジェット受容性ビードボンド層１４中の架橋剤は、ビードボンド支持層２１中の溶剤型ポリウレタンの一部が水性ポリウレタンインクジェット受容性ビードボンド層１４中に移動するかまたはそれと混合するのを防止するのを助けることがあると考えられる。結果として、ユーザーは、水性インクを使用して印刷可能シート４０上に印刷し、印刷可能シート７０の水性インクジェット受容性ビードボンド層１４に画像２８を形成することができる。
【００５５】
適した架橋剤の例には、多官能性エポキシ化合物（例えば、フロリダ州、サラソタのエスプリックス・デジタル・イメージング・テクノロジーから入手可能なＣＲ−５Ｌ）、多官能性アミン化合物（例えば、メラミン、マサチューセッツ州、ウォード・ヒルのアルファ・エイサー（Ａｌｆａ  Ａｅｓａｒ，Ｗａｒｄ  Ｈｉｌｌ，ＭＡ）から入手可能なアミン官能化トリアジン）、エポキシ官能性シラン（例えば、コネチカット州、ウィルトンのＧＥシリコーンから入手可能なシルクエスト（登録商標）Ａ−１８７）、またはアミノ官能性シラン（例えば、コネチカット州、ウィルトンのＧＥシリコーンから入手可能なシルクエスト（登録商標）Ａ−１１２０）などがある。
【００５６】
タンパー表示印刷可能シート７０を作製する典型的な方法はタンパー表示印刷可能シート１０、４０に対して上に記載された方法に似ているが、ただし、前記方法は、インクジェット受容性ビードボンド層１４が、蒸気コーティングされたマイクロビード１２上にコーティングされた後にビードボンド支持層２１をインクジェット受容性ビードボンド層上にノッチバーコーティングする付加的な工程を含む。ビードボンド支持層２１が蒸気コーティングされた後、前記方法を上述のように続け、接着剤の層をビードボンド支持層２１と紙などの別の基材との間に置く。
【００５７】
タンパー表示印刷可能シート７０は、図１を参照して上に記載されたように潜在的表示を備えるかまたは備えなくてもよい。
【００５８】
本発明の作業は、以下の詳細な実施例に関してさらに記載される。これらの実施例は、様々な具体的なおよび好ましい実施形態および技術をさらに説明するために提供される。しかしながら、多くの変型および変更が本発明の範囲内のまま実施できることは理解されるはずである。
【実施例】
【００５９】
「コンファーム（Ｃｏｎｆｉｒｍ）  ＥＳ」は、ミネソタ州、セントポールの３Ｍ社から入手可能な、ビードボンド中にガラスマイクロビードを有する印刷可能シートのブランドである。
「レイルライン（ＲＥＩＬＬＩＮＥ）４２０」は、インディアナ州、インディアナポリスのレイリー・インダストリーズ社（Ｒｅｉｌｌｙ  Ｉｎｄｕｓｔｒｉｅｓ，Ｉｎｃ．，Ｉｎｄｉａｎａｐｏｌｉｓ，ＩＮ）から入手可能な、４０％ポリ（４−ビニルピリジン）の溶液の商品名である。
「フリーテックス（ＦＲＥＥＴＥＸ）６８５」は、オハイオ州、クリーブランドのノヴェオン社（Ｎｏｖｅｏｎ，Ｉｎｃ．，Ｃｌｅｖｅｌａｎｄ，ＯＨ）から入手可能なカチオン性ポリアミンの商品名である。
「ヘロキシ・モディファイアー（ＨＥＬＯＸＹ  ＭＯＤＩＦＩＥＲ）４８」は、テキサス州、ヒューストンのレゾリューション・パフォーマンス・プロダクションズ（Ｒｅｓｏｌｕｔｉｏｎ  Ｐｅｒｆｏｒｍａｎｃｅ  Ｐｒｏｄｕｃｔｓ，Ｈｏｕｓｔｏｎ，ＴＸ）から入手可能な多官能性エポキシ架橋剤の商品名である。
「イソプロパノール」は、ニュージャージー州、ギブズタウンのＥＭＤケミカル社（ＥＭＤ  Ｃｈｅｍｉｃａｌｓ，Ｉｎｃ．，Ｇｉｂｂｓｔｏｗｎ，ＮＪ）から入手可能な第二アルコールの一般用語である。
「エチルアルコール」は、ケンタッキー州、シェルビィヴィルのＡＡＰＥＲ・アルコール・アンド・ケミカル・カンパニー（ＡＡＰＥＲ  Ａｌｃｏｈｏｌ  ａｎｄ  Ｃｈｅｍｉｃａｌ  Ｃｏ．，Ｓｈｅｌｂｙｖｉｌｌｅ，ＫＹ）から入手可能なフレーバー無しアルコールの一般的な用語である。
「氷酢酸」は、ウィスコンシン州、ミルウォーキーのアルドリッチ・ケミカル・カンパニー（Ａｌｄｒｉｃｈ  Ｃｈｅｍｉｃａｌ  Ｃｏ．，Ｍｉｌｗａｕｋｅｅ，ＷＩ）から入手可能な高純度酢酸である。
【００６０】
比較例１
この比較例は、米国特許公開第２００３／０１７０４２５Ａ１号明細書「セキュリティラミネート」（マン（Ｍａｎｎ）ら）（本特許の出願と同じ譲受人によって所有される）の開示に基づいている。
【００６１】
以下の３つの組成物を調製した。
組成物Ａ：  ２重量部の氷酢酸を１０重量部のレイルライン４２０に添加し、十分に混合し、次いで５重量部のイソプロパノールを添加し、十分に混合し、次に１５重量部の脱イオン水を添加することによって調製された。
組成物Ｂ：１０重量部のフリーテックス６８５を３８部の脱イオン水と混合することによって調製された。
組成物Ｃ：１重量部のヘロキシ・モディファイアー４８を１５部のエチルアルコールと混合することによって調製された。
【００６２】
一片のコンファームＥＳが、コンファームＥＳの露出した再帰反射ビード面をプレートと反対方向に向け、厚さ約３ｍｍのガラスプレート上に置かれた。２１重量部の組成物Ａと４重量部の組成物Ｂと１重量部の組成物Ｃとを含む混合物を調製した。このインクジェット受容性コーティング調合物を、メイヤー・ロッド（Ｍａｙｅｒ  Ｒｏｄ）♯４を用いてコンファームＥＳの露出した再帰反射ビード面上にコーティングし、その後に、約４分間、約８０℃の炉内で乾燥させ、次いで室温に冷却させた。次に、水性着色インクジェットインク（プリンタおよびインクカートリッジ−Ｔ０３２１２０ブラック、Ｔ０３２２２０シアン、Ｔ０３２３２０マゼンタおよびＴ０３２４２０イエロー−すべて、カリフォルニア州、ロングビーチのエプソン・アメリカ社（Ｅｐｓｏｎ  Ａｍｅｒｉｃａ，Ｉｎｃ．，Ｌｏｎｇ  Ｂｅａｃｈ，ＣＡ）から入手可能）を用いてこの材料をエプソン・スタイラス（Ｅｐｓｏｎ  Ｓｔｙｌｕｓ）Ｃ８０インクジェットプリンタで印刷した。画像品質を拡大鏡を用いておよび用いずに目視検査した。印刷された画像は、すぐれたライン鮮明度を有し、色の間のブリードまたはフェザリングがないので、すぐれた品質を有することがわかった。ブラック、マゼンタ、イエロー、およびシアンの色濃度を測定し、結果を表６にまとめる。
【００６３】
表１に記載された画像除去液を用いて、タンパリングに対する印刷された画像の耐性について、コーティングされた印刷された材料を評価し、各液で個々に湿潤されたキューチップ（Ｑ−ｔｉｐｓ）で、印刷された材料を摩擦することによってタンパリングの表示について、印刷された材料を評価した。画像除去液が実施例の印刷された画像に与える影響を評価した。文書を有効に偽造するために、個人の写真画像などの印刷された画像は元の画像を偽造された画像と取り替えるために完全に除去されなければならないので、印刷された画像の評価は、画像が完全に除去されるかまたは完全には除去されないかのどちらかに限定された。タンパリングを表示する実施例の材料の能力の評価は、マイクロビーが分離または除去されるかどうか測定することによって行われた。比較例１の結果を表１に示す。
【００６４】
【表１】
2008509022.tif 000003
【００６５】
実施例２
比較例１の組成物Ａ、ＢおよびＣを用いて、２１重量部の組成物Ａ、４重量部の組成物Ｂおよび１重量部の組成物Ｃを含む混合物を調製した。このインクジェット受容性コーティング調合物を、コンファームＥＳ中に再帰反射マイクロビードを固定するために通常用いられるウレタン「ビードボンド」の代わりに代用した。ビードボンドとしてインクジェット受容性コーティングを使用する、本発明のタンパー表示印刷可能シートを作製するために、ペーパーキャリヤー（ポリエチレンコーテッドペーパー）のポリエチレンフィルムに部分的に埋め込まれた蒸気コーティングされたガラスビード上にメイヤー・ロッド♯４を用いてインクジェット受容性コーティングをコーティングし、その後に、約４分間、約８０℃の炉内で乾燥させ、次いで室温に冷却させた。ミネソタ州、セントポールの３Ｍ社から入手可能な３Ｍパスポートコンファーム（ＣＯＮＦＩＲＭ）ラミネータ、型番６０６０Ｐを用いて、次いでタンパー表示印刷可能シートをイリノイ州、フランクリンパークのトランシルラップ社（Ｔｒａｎｓｉｌｗｒａｐ  Ｃｏｍｐａｎｙ，Ｉｎｃ．Ｆｒａｎｋｌｉｎ  Ｐａｒｋ，ＩＬ）から入手可能なホットメルト接着剤でコーティングされたトランス−コーテ（Ｔｒａｎｓ−Ｋｏｔｅ）ＰＥＴ／ＭＲ５／２ＰＥＴフィルムにラミネートした。次に、ポリエチレンでコーティングされた紙を剥離し、ガラスビードを露出した。
【００６６】
顕微鏡下でのＰＥＴフィルムの検査は、全てのガラスビードがペーパーキャリヤーから移され、ビードがホットメルト接着剤層に部分的に埋め込まれることを示した。次に、タンパー表示印刷可能シートはエプソン・スタイラスＣ８０インクジェットプリンタを用いてビード面に印刷された。画像品質を拡大鏡を用いておよび用いずに目視検査した。印刷された画像は、すぐれたライン鮮明度を有し、色の間のブリードまたはフェザリングがないので、すぐれた品質を有することがわかった。ブラック、マゼンタ、イエロー、およびシアンの色濃度を測定し、結果を表６にまとめる。
【００６７】
表１に記載された同じ画像除去液を用いて、タンパリングに対する印刷された画像の耐性についてタンパー表示印刷可能シートを評価し、各液で個々に湿潤されたキューチップ（Ｑ−ｔｉｐｓ）で、印刷された材料を摩擦することによってタンパリングの表示について、印刷された材料を評価した。画像除去液が実施例の印刷された画像に与える影響を評価した。文書を有効に偽造するために、個人の写真画像などの印刷された画像は元の画像を偽造された画像と取り替えるために完全に除去されなければならないので、印刷された画像の評価は、画像が完全に除去されるかまたは完全には除去されないかのどちらかに限定された。タンパリングを表示する実施例の材料の能力の評価は、マイクロビーが分離または除去されるかどうか測定することによって行われた。実施例２の評価の結果を表２に示す。
【００６８】
【表２】
2008509022.tif 000004
【００６９】
実施例３
タンパー表示印刷可能シートを実施例２に記載されたように作製した。この実施例のために、フロリダ州、サラソタのエスプリックス・デジタル・イメージング・テクノロジーから得られたインクジェット受容性コーティング溶液ＩＪ−１４０を、メイヤー・ロッド♯１０を用いて、蒸気コーティングされたガラスビード上にコーティングし、その後に、約１０分間、約６０℃の炉内で乾燥させ、次いで室温に冷却させた。イリノイ州、エルク・グローブのＤ・アンド・Ｋカンパニー（Ｄ＆Ｋ  Ｃｏｍｐａｎｙ，Ｅｌｋ  Ｇｒｏｖｅ，ＩＬ）から入手可能なミニ・コーテ（Ｍｉｎｉ−Ｋｏｔｅ）研究所用ラミネータを用いて、次に、タンパー表示印刷可能シートをイリノイ州、フランクリンパークのトランシルラップ社（Ｔｒａｎｓｉｌｗｒａｐ  Ｃｏｍｐａｎｙ，Ｉｎｃ．Ｆｒａｎｋｌｉｎ  Ｐａｒｋ，ＩＬ）から入手可能なホットメルト接着剤でコーティングされたトランス−コーテＰＥＴ／ＭＲ７／３ＰＥＴフィルムにラミネートした。約３００°Ｆのロール温度および約１．５フィート／分のロール速度においてラミネートを実施した。次に、ポリエチレンキャリヤーをコーティングされた紙を剥離し、ガラスビードを露出した。
【００７０】
顕微鏡下でのＰＥＴフィルムの検査は、全てのガラスビードがキャリヤーから移され、ビードがホットメルト接着剤層に部分的に埋め込まれることを示した。次に、タンパー表示印刷可能シートがエプソン・スタイラスＣＸ５４００インクジェットプリンタを用いて、水性着色インクジェットインク（プリンタおよびインクカートリッジ−Ｔ０３２１２０ブラック、Ｔ０４２２２０シアン、Ｔ０４２３２０マゼンタおよびＴ０４２４２０イエロー−全て、エプソン・アメリカ社、カリフォルニア州、ロングビーチのエプソン・アメリカ社（Ｅｐｓｏｎ  Ａｍｅｒｉｃａ，Ｉｎｃ．，Ｌｏｎｇ  Ｂｅａｃｈ，ＣＡ）から入手可能）を用いてビード面に印刷された。画像品質を拡大鏡を用いておよび用いずに目視検査した。印刷された画像は、すぐれたライン鮮明度を有し、色の間のブリードまたはフェザリングがないので、すぐれた品質を有することがわかった。ブラック、マゼンタ、イエロー、およびシアンの色濃度を測定し、結果を表６にまとめる。
【００７１】
表１に記載された同じ試験液／溶剤を用いて、タンパリングに対する印刷された画像の耐性についてタンパー表示印刷可能シートを評価し、各液で個々に湿潤されたキューチップ（Ｑ−ｔｉｐｓ）で、印刷された材料を摩擦することによってタンパリングの表示について、印刷された材料を評価した。画像除去液が実施例の印刷された画像に与える影響を評価した。文書を有効に偽造するために、個人の写真画像などの印刷された画像は元の画像を偽造された画像と取り替えるために完全に除去されなければならないので、印刷された画像の評価は、画像が完全に除去されるかまたは完全には除去されないかのどちらかに限定された。タンパリングを表示する実施例の材料の能力の評価は、マイクロビーが分離または除去されるかどうか測定することによって行われた。実施例３についてタンパリングに対する耐性の評価の結果を表３に示す。
【００７２】
【表３】
2008509022.tif 000005
【００７３】
実施例４
タンパー表示印刷可能シートを実施例２に記載されたように作製した。この実施例のために、インクジェット受容性コーティング溶液ＩＪ−１５０、フロリダ州、サラソタのエスプリックス・デジタル・イメージング・テクノロジーから得られた、メイヤー・ロッド♯１０を用いて、蒸気コーティングされたガラスビード上にコーティングし、その後に、約１０分間、約６０℃の炉内で乾燥させ、次いで室温に冷却させた。イリノイ州、エルク・グローブのＤ・アンド・Ｋカンパニー（Ｄ＆Ｋ  Ｃｏｍｐａｎｙ，Ｅｌｋ  Ｇｒｏｖｅ，ＩＬ）から入手可能なミニ・コーテ（Ｍｉｎｉ−Ｋｏｔｅ）研究所用ラミネータを用いて、次に、タンパー表示印刷可能シートをイリノイ州、フランクリンパークのトランシルラップ社から入手可能なホットメルト接着剤でコーティングされたトランス−コーテＰＥＴ／ＭＲ７／３ＰＥＴフィルムにラミネートした。約３００°Ｆのロール温度および約１．５フィート／分のロール速度においてラミネートを実施した。次に、ポリエチレンキャリヤーをコーティングされた紙を剥離し、ガラスビードを露出した。
【００７４】
顕微鏡下でのＰＥＴフィルムの検査は、全てのガラスビードがキャリヤーから移され、ビードがホットメルト接着剤層に部分的に埋め込まれることを示した。次に、タンパー表示印刷可能シートがエプソン・スタイラスＣＸ５４００インクジェットプリンタを用いてビード面に印刷された。画像品質を拡大鏡を用いておよび用いずに目視検査した。印刷された画像は、すぐれたライン鮮明度を有し、色の間のブリードまたはフェザリングがないので、すぐれた品質を有することがわかった。ブラック、マゼンタ、イエロー、およびシアンの色濃度を測定し、結果を表６にまとめる。
【００７５】
表１に記載された同じ試験液／溶剤を用いて、タンパリングに対する印刷された画像の耐性についてタンパー表示印刷可能シートを評価し、各液で個々に湿潤されたキューチップ（Ｑ−ｔｉｐｓ）で、印刷された材料を摩擦することによってタンパリングの表示について、印刷された材料を評価した。画像除去液が実施例の印刷された画像に与える影響を評価した。文書を有効に偽造するために、個人の写真画像などの印刷された画像は元の画像を偽造された画像と取り替えるために完全に除去されなければならないので、印刷された画像の評価は、画像が完全に除去されるかまたは完全には除去されないかのどちらかに限定された。タンパリングを表示する実施例の材料の能力の評価は、マイクロビーが分離または除去されるかどうか測定することによって行われた。実施例４についてタンパリングに対する耐性の評価の結果を表４に示す。
【００７６】
【表４】
2008509022.tif 000006
【００７７】
実施例５
タンパー表示印刷可能シートを実施例２に記載されたように作製した。この実施例のために、フロリダ州、サラソタのエスプリックス・デジタル・イメージング・テクノロジーから得られたインクジェット受容性コーティング溶液ＩＪ−１７０をメイヤー・ロッド♯１０を用いて、蒸気コーティングされたガラスビード上にコーティングし、その後に、約１０分間、約６０℃の炉内で乾燥させ、次いで室温に冷却させた。イリノイ州、エルク・グローブのＤ・アンド・Ｋカンパニー（Ｄ＆Ｋ  Ｃｏｍｐａｎｙ，Ｅｌｋ  Ｇｒｏｖｅ，ＩＬ）から入手可能なミニ・コーテ（Ｍｉｎｉ−Ｋｏｔｅ）研究所用ラミネータを用いて、次に、タンパー表示印刷可能シートをイリノイ州、フランクリンパークのトランシルラップ社から入手可能なホットメルト接着剤でコーティングされたトランス−コーテＰＥＴ／ＭＲ７／３ＰＥＴフィルムにラミネートした。約３００°Ｆのロール温度および約１．５フィート／分のロール速度においてラミネートを実施した。次に、ポリエチレンキャリヤーをコーティングされた紙を剥離し、ガラスビードを露出した。
【００７８】
顕微鏡下でのＰＥＴフィルムの検査は、全てのガラスビードがキャリヤーから移され、ビードがホットメルト接着剤層に部分的に埋め込まれることを示した。次に、タンパー表示印刷可能シートがエプソン・スタイラスＣＸ５４００インクジェットプリンタを用いてビード面に印刷された。画像品質を、拡大鏡を用いておよび用いずに目視検査した。印刷された画像は、すぐれたライン鮮明度を有し、色の間のブリードまたはフェザリングがないので、すぐれた品質を有することがわかった。ブラック、マゼンタ、イエロー、およびシアンの色濃度を測定し、結果を表６にまとめる。
【００７９】
表１に記載された同じ試験液／溶剤を用いて、タンパリングに対する印刷された画像の耐性についてタンパー表示印刷可能シートを評価し、各液で個々に湿潤されたキューチップ（Ｑ−ｔｉｐｓ）で、印刷された材料を摩擦することによってタンパリングの表示について、印刷された材料を評価した。画像除去液が実施例の印刷された画像に与える影響を評価した。文書を有効に偽造するために、個人の写真画像などの印刷された画像は元の画像を偽造された画像と取り替えるために完全に除去されなければならないので、印刷された画像の評価は、画像が完全に除去されるかまたは完全には除去されないかのどちらかに限定された。タンパリングを表示する実施例の材料の能力の評価は、マイクロビーが分離または除去されるかどうか測定することによって行われた。実施例５についてタンパリングに対する耐性の評価の結果を表５に示す。
【００８０】
【表５】
2008509022.tif 000007
【００８１】
【表６】
2008509022.tif 000008
【００８２】
上に記載された試験および試験結果は、予測的ではなく、説明に役立てることを意図されるにすぎず、試験手順の相違は異なった結果をもたらすことを予想することができる。
【００８３】
本発明は、そのいくつかの実施形態を参照して記載された。前述の詳細な説明および実施例は、あくまで分かりやすくする目的で提供されたものである。不当な限定がそれから理解されるべきではない。本願明細書に引用された全ての特許および特許出願は参照によって本願明細書に援用される。本発明の範囲から逸脱することなく、記載された実施形態に多くの変更が実施できることは当業者には明らかであろう。従って、本発明の範囲は、ここに記載された正確な詳細および構造に限定されず、特許請求の範囲によって記載された構造、およびそれらの構造の均等物によって限定されるものとする。
【図面の簡単な説明】
【００８４】
【図１】本発明のタンパー表示印刷可能シートの１つの実施形態の断面図を示す。
【図２】本発明のタンパー表示印刷可能シートの別の実施形態の断面図を示す。
【図３】図１のタンパー表示印刷可能シートを示し、そこでマイクロビードの分離はタンパリングを表示する。
【図４】標準照明条件下で見られる時の、印刷された画像の一部が除去された先行技術のセキュリティラミネートのデジタルに記録された顕微鏡写真である。
【図５】再帰反射照明条件での図４の先行技術のセキュリティラミネートの拡大表示である。
【図６】標準照明条件下での、印刷された画像の一部が除去された本発明のタンパー表示印刷可能シートのデジタルに記録された顕微鏡写真である。
【図７】再帰反射照明条件下での図６のタンパー表示印刷可能シートの拡大図を示す。
【図８】本発明のタンパー表示印刷可能シートの別の実施形態の断面図を示す。
【図１】
2008509022.tif 000009
【図２】
2008509022.tif 000010
【図３】
2008509022.tif 000011
【図４】
2008509022.tif 000012
【図５】
2008509022.tif 000013
【図６】
2008509022.tif 000014
【図７】
2008509022.tif 000015
【図８】
2008509022.tif 000016
【国際調査報告】
2008509022.tif 000017
2008509022.tif 000018